(57)【要約】【課題】複数本の差込棒を被差込面に差し込むことが容易であり、安定して設置することができるトピアリーを提供すること。【解決手段】トピアリー１は、針金等の線材２１を折り曲げて立体的に成形した骨組２に、水苔、ピートモス等の表面植物材３を保持させて形成したものである。骨組２における下部からは、被差込面５１に差し込むための差込棒４が２本突出して設けてある。骨組２内の空間には、枯れ草等の充填物が充填してある。２本の差込棒４は、それぞれ平板４１の先端部４１１を尖らせて形成してあると共に、平板４１の板面４２の向きを互いに異ならせて骨組２に設けてある。【選択図】図１
0003157878.tif 000002
【実用新案登録請求の範囲】
【請求項１】
線材を折り曲げて立体的に成形した骨組に、表面植物材を保持させて形成したトピアリーであって、
上記骨組における下部からは、被差込面に差し込むための差込棒が複数本突出して設けてあり、
該複数本の差込棒は、それぞれ平板の先端部を尖らせて形成してあると共に、該平板の板面の向きを互いに異ならせて上記骨組に設けてあることを特徴とするトピアリー。
【請求項２】
請求項１に記載のトピアリーにおいて、上記複数本の差込棒をそれぞれ構成する平板の板面の向きは、互いに直交又は互いに傾斜していることを特徴とするトピアリー。
【考案の詳細な説明】
【技術分野】
【０００１】
本考案は、線材を折り曲げて立体的に成形した骨組に表面植物材を保持させて形成したトピアリーに関する。
【背景技術】
【０００２】
従来より、樹木や低木を刈り込んで立体的に造形したトピアリーの他、針金等の線材を用いて立体的形状を成形し、その表面に水苔、ピートモス等を保持させて造形した人工のトピアリーが多用されている。この人工のトピアリーの立体的形状としては、動物、キャラクター等の様々なものがある。
例えば、特許文献１の植木模造トピアリーモデルにおいては、所望のキャラクターの形状に芯体を成形し、この芯体の表面に、造花用葉材料を接着、被覆して本体を形成し、この本体を植木鉢上に起立させることが開示されている。これによれば、樹木のトピアリーの感覚が得られ、簡易、安価に製作することができ、鑑賞用としての効果を発揮する。
【先行技術文献】
【特許文献】
【０００３】
【特許文献１】実用新案登録第３０４４４４１号公報
【考案の概要】
【考案が解決しようとする課題】
【０００４】
しかしながら、従来のトピアリーにおいては、これを植木鉢等に差し込む部位については、特別な工夫がなされていない。すなわち、従来のトピアリーにおいては、その下部から突出する支柱、脚等の棒状体に特別な工夫はなく、トピアリーを安定して設置するには十分ではない。
【０００５】
本考案は、かかる従来の問題点に鑑みてなされたもので、複数本の差込棒を被差込面に差し込むことが容易であり、安定して設置することができるトピアリーを提供しようとするものである。
【課題を解決するための手段】
【０００６】
本考案は、線材を折り曲げて立体的に成形した骨組に、表面植物材を保持させて形成したトピアリーであって、
上記骨組における下部からは、被差込面に差し込むための差込棒が複数本突出して設けてあり、
該複数本の差込棒は、それぞれ平板の先端部を尖らせて形成してあると共に、該平板の板面の向きを互いに異ならせて上記骨組に設けてあることを特徴とするトピアリーにある（請求項１）。
【考案の効果】
【０００７】
本考案のトピアリーは、骨組における下部から、用土等の被差込面に差し込むための差込棒が複数本突出して設けてある。そして、複数本の差込棒は、それぞれ平板の先端部を尖らせて形成してあると共に、平板の板面の向きを互いに異ならせて骨組に設けてある。
これにより、トピアリーの差込棒を被差込面に差し込むことが容易であり、複数本の差込棒を被差込面に差し込んで、トピアリーを安定して設置することができる。
【図面の簡単な説明】
【０００８】
【図１】実施例における、トピアリーを示す斜視説明図。
【図２】実施例における、トピアリーを上方から見た状態で示す説明図。
【図３】実施例における、他のトピアリーを上方から見た状態で示す説明図。
【図４】実施例における、他のトピアリーを上方から見た状態で示す説明図。
【考案を実施するための形態】
【０００９】
上述した本考案のトピアリーにおける好ましい実施の形態につき説明する。
本考案において、上記骨組内の空間には、枯れ草等種々のものを充填することができる。上記線材には、針金を用いることにより、容易かつ安価に種々の立体的形状を成形することができる。
上記表面植物材には、水苔、ピートモス等の天然植物を用いることができる。表面植物材は、骨組に糸で固定することができ、骨組に接着・貼付を行って固定することもできる。また、表面植物材は、種々の塗装等を行って適切な色合いにすることができ、適宜装飾することができる。
上記被差込面は、植木鉢内の土、用土等の他、トピアリーを設置するための種々の差込可能な面とすることができる。
【００１０】
また、上記複数本の差込棒をそれぞれ構成する平板の板面の向きは、互いに直交又は互いに傾斜していることが好ましい（請求項２）。
これにより、複数本の差込棒の形成が容易である。
【実施例】
【００１１】
以下に、本考案のトピアリー１にかかる実施例につき、図面を参照して説明する。
本例のトピアリー１は、図１、図２に示すごとく、針金等の線材２１を折り曲げて立体的に成形した骨組２に、水苔、ピートモス等の表面植物材３を保持させて形成したものである。骨組２における下部からは、被差込面５１に差し込むための差込棒４が２本突出して設けてある。骨組２内の空間には、枯れ草等の充填物が充填してある。２本の差込棒４は、それぞれ平板４１の先端部４１１を尖らせて形成してあると共に、平板４１の板面４２の向きを互いに異ならせて骨組２に設けてある。
【００１２】
以下、さらに詳説する。
図１に示すごとく、本例のトピアリー１は、キリンを真似た立体的形状に形成してある。トピアリー１は、これ以外にも、熊、犬、猫、象、兎、鹿等の種々の動物を真似た立体的形状に形成することができる。このトピアリー１の立体的形状は、線材２１を柔軟に折り曲げて形成した骨組２により骨格が形成されている。
差込棒４は、竹、木等の木材を加工して先端部４１１が尖った平板形状に形成してある。平板４１の先端部４１１は、板面４２に直交する側面４３間の幅を先端部４１１側に行くに連れて縮小させて尖らせてある。
表面植物材３は、骨組２の表面にできるだけ均一に配置し、糸を用いて骨組２の表面に固定してある。表面植物材３の表面は、スプレー塗装を行って、深緑色等の所望とする色合いを呈している。
【００１３】
図２に示すごとく、２本の差込棒４は、これらを構成する平板４１の板面４２の向きが互いに略直交する状態で骨組２に取り付けてある。２本の差込棒４は、トピアリー１の下部の前後に「Ｔ字状」に並べて設けてあり、一方の差込棒４（Ａ）は、トピアリー１の前後方向Ｌに板面４２を配置し、他方の差込棒４（Ｂ）は、動物の形をしたトピアリー１の左右方向Ｗに板面４２を配置してなる。
２本の差込棒４は、この他にも、図３に示すごとく、トピアリー１の下部の左右に並べて設け、一対の差込棒４がトピアリー１の左右方向Ｗに対して略対称に「ハ字状」に位置するよう傾斜して配置することができる。
【００１４】
また、差込棒４は、図４に示すごとく、骨組２に対して３本設けることもでき、例えば、トピアリー１の下部の前後に３本並べて配置し、前側と後側の差込棒４（Ａ）の板面４２を左右方向Ｗに向け、真ん中の差込棒４（Ｂ）の板面４２を前後方向Ｌに向けて配置することができる。
【００１５】
本例のトピアリー１は、２本又は３本の差込棒４によって植木鉢５内の用土等の被差込面５１に差し込んで使用することができる。そして、このトピアリー１は、その差込棒４を被差込面５１に差し込むことが容易であり、トピアリー１の差込棒４を被差込面５１に差し込んだ際には、２本又は３本の差込棒４によりトピアリー１を差し込んだ状態を安定して維持することができる。
【符号の説明】
【００１６】
１  トピアリー
２  骨組
２１  線材
３  表面植物材
４  差込棒
４１  平板
４１１  先端部
４２  板面
５  植木鉢
５１  被差込面
【図１】
0003157878.tif 000003
【図２】
0003157878.tif 000004
【図３】
0003157878.tif 000005
【図４】
0003157878.tif 000006